(57)【要約】      （修正有）【課題】ＬＥＤライトをブロック化して、ユーザーの要求に応じて組み合わせることで変更が容易となるブロックＬＥＤライトを提供する。【解決手段】１つのブロックＬＥＤライト１２、ケース１３、埋め込みトラフ１４、埋め込み柱１５、スイッチ２１及び電力接続ポート２２を含む。ブロックＬＥＤライト１２は、ケース１３の内部に実装されるバッテリの内部バッテリ電源を用いることができる。電力接続ポート２２を含むケース１３の底部では、電力接続ポート２２を電力源に接続することによりケース１３内部のバッテリを充電することができる。また、ケース１３の底部では、ＬＥＤライトモジュールの電力をオン・オフ制御するスイッチ２１も含まれる。さらに、ブロックＬＥＤライトには、埋め込み柱１５を、別のブロックＬＥＤライトの埋め込みトラフ１４と接続することにより、複数のブロックＬＥＤライトよりなるＬＥＤライトを構成することができる。【選択図】図２
0003176692.tif 000002
【実用新案登録請求の範囲】
【請求項１】
第１ケースと、
前記第１ケースにおけるＬＥＤライトモジュールと、
前記第１ケースの表面の第１接続部と、
前記第１ケースの表面の第２接続部と、を備え、
前記第１接続部は、前記第２接続部に対応し、同一構成を有する他の第２ブロックＬＥＤライトが、前記第１接続部を用いて前記ブロックＬＥＤライトの第２接続部と組み立てられることを可能とし、他の第３ブロックＬＥＤライトが、前記第２の接続部を用いて前記ブロックＬＥＤライトの第１接続部と組み立てられることを可能として、このようなメカニズムによって複数のブロックＬＥＤライトを組み立てることが可能なブロックＬＥＤライト。
【請求項２】
前記第１接続部は、少なくとも１つの埋め込み柱を含み、前記第２接続部は少なくとも１つの埋め込みトラフを含み、前記埋め込み柱の構成は、前記埋め込みトラフに対応し、前記ブロックＬＥＤライトは、他のブロックＬＥＤライトの埋め込みトラフ（埋め込み柱）と組み合わせられる埋め込み柱（埋め込みトラフ）を用いる請求項１に記載のブロックＬＥＤライト。
【請求項３】
前記第１接続部は、１つの第１磁石を含み、前記第２接続部は、第２磁石を含み、前記ブロックＬＥＤライトは、前記第１磁石を用いて、他のブロックＬＥＤライトの前記第２磁石を引きつけることで、他のブロックＬＥＤライトと組み立てられる請求項１に記載のブロックＬＥＤライト。
【請求項４】
前記第１接続部は、１つの第１磁石を含み、前記第２接続部は、１片の金属板を含み、前記ブロックＬＥＤライトは、前記第１磁石を用いて、他のブロックＬＥＤライトの前記金属板を引きつけることで、他のブロックＬＥＤライトと組み立てられる請求項１に記載のブロックＬＥＤライト。
【請求項５】
前記ＬＥＤライトモジュールの電力接続ポートは、前記第１接続部及び前記第２接続部に向かって延び、複数のブロックＬＥＤライトが組み立てられると、直列構造又は並列構造によって複数のブロックＬＥＤライトが電気的に接続される請求項１に記載のブロックＬＥＤライト。
【請求項６】
第１導電性構成要素と、第２ケースと、電力源接続ポートと、第２導電性構成要素と、第３接続部とをさらに備え、前記第１導電性構成要素は、前記第１ケースの表面に設計され、前記ＬＥＤライトモジュールと電気的に接続し、前記電力源接続ポートは、前記第２ケースに設計され、１つの電力源と電気的に接続し、前記第２導電性構成要素及び前記第３接続部は、前記第２ケースの表面に設計され、前記第２導電性構成要素は、前記電力源接続ポートと電気的に接続し、前記第２ケースの前記第３接続部は、前記第１ケースの前記第１接続部に対応して、前記第１ケースが前記第１ケースの前記第１接続部及び前記第２ケースの前記第３接続部の接続を介して前記第２ケースと組み立てられることを可能とし、前記第１ケースの前記第１接続部が、前記第２ケースの前記第３接続部と接続すると、前記第１ケースの前記第１導電性構成要素が前記第２ケースの前記第２導電性構成要素と電気的に接続され、前記ＬＥＤライトモジュールが、前記電力源に電気的に接続される請求項１に記載のブロックＬＥＤライト。
【請求項７】
前記第１導電性構成要素及び前記第２導電性構成要素は、伝導板である請求項６に記載のブロックＬＥＤライト。
【請求項８】
前記電力源接続部は電力接続ポートであり、前記電力源はグリッド電力である請求項６に記載のブロックＬＥＤライト。
【請求項９】
収容スペースは、前記第２ケースの内部にあり、前記電力源は、前記収容スペースに設計されるバッテリである請求項６に記載のブロックＬＥＤライト。
【請求項１０】
前記第１ケースの前記接続部は、少なく１つの埋め込み柱を含み、前記第２ケースの前記第３接続部は、少なくとも１つの埋め込みトラフを含み、前記埋め込み柱の構成は、前記埋め込みトラフに対応し、前記第１ケースの前記第１接続部は、前記埋め込み柱及び前記埋め込みトラフを介して前記第２ケースの前記第３接続部と組み立てられる請求項６に記載のブロックＬＥＤライト。
【請求項１１】
前記第１ケースの前記第１接続部は、少なく１つの埋め込みトラフを含み、前記第２ケースの前記第３接続部は、少なくとも１つの埋め込み柱を含み、前記埋め込みトラフの構成は、前記埋め込み柱に対応し、前記第１ケースの前記第１接続部は、前記埋め込み柱及び前記埋め込みトラフを介して前記第２ケースの前記第３接続部と組み立てられる請求項６に記載のブロックＬＥＤライト。
【請求項１２】
前記第１ケースの前記第１接続部は、１つの第１磁石を含み、前記第２ケースの前記第３接続部は、１つの第２磁石を含み、前記第１ケースの前記第１接続部は、前記第１磁石及び前記第２磁石を引きつけることで前記第２ケースの前記第３接続部と組み立てられる請求項６に記載のブロックＬＥＤライト。
【請求項１３】
前記第１ケースの前記第１接続部は、１つの磁石を含み、前記第２ケースの前記第３接続部は、一片の金属板を含み、前記第１ケースの前記第１接続部は、前記磁石及び前記一片の金属板を引きつけることで前記第２ケースの前記第３接続部と組み立てられる請求項６に記載のブロックＬＥＤライト。
【請求項１４】
前記第１ケースの前記第１接続部は、一片の金属板を含み、前記第２ケースの前記第３接続部は、１つの磁石を含み、前記第１ケースの前記第１接続部は、前記磁石及び前記一片の金属板を引きつけることで前記第２ケースの前記第３接続部と組み立てられる請求項６に記載のブロックＬＥＤライト。
【考案の詳細な説明】
【技術分野】
【０００１】
本考案は、ブロックＬＥＤ（発光ダイオード）ライトに関し、特に、複数のブロックＬＥＤライトを合わせて任意の形に組み立てることができ、さらに、電源接続ポートがＬＥＤライトモジュールに採用可能であることにより、エンドユーザが、異なる要求や目的によって異なる電力タイプのブロックＬＥＤライトを選択することが可能となるものに関する。
【背景技術】
【０００２】
従来のＬＥＤ（発光ダイオード）ライトは、ケース、ＬＥＤライトモジュール及びランプシェードによって実現される。ＬＥＤライトモジュールは、ケースの中に実装され、ランプシェードは、ケースに接続され、ＬＥＤライトモジュールを隠す。高出力ＬＥＤライトは、動作中に多くの熱を発生させるために温度が上昇し、この高温によってＬＥＤライトの寿命も影響を受けてしまう。そのため、このようなタイプのＬＥＤライトは、構成に熱モジュールも追加的に含み、この熱モジュールをＬＥＤライトに接続して熱的性能を高めている。
【０００３】
従来のＬＥＤライトの形状は、ケース及びランプシェードによって決まり、ケース及びランプシェードの形状は固定されて大きさは変更できない。いくつかのＬＥＤライトは、外部の熱モジュールを用い、これらの熱モジュールは、異なる形状のヒートシンクによって一体化されるが、同様に形状は固定されておりユーザの要求により変更することはできない。そのため、ユーザは、実際の環境や供給によって異なる形状及び異なる大きさのＬＥＤライトの中から最適なＬＥＤライトを調べて選択しなければならず、この調べるプロセスには、大抵多くの時間が費やされるが、ユーザの要求を満たすことができる最適なＬＥＤライトを見つけることができないことさえある。
【０００４】
さらに、従来のＬＥＤライトの電力も修正無しに固定されているので、形状や大きさの要件を満たすことのできるＬＥＤライトが電力の要求を満たすことができないために、適したＬＥＤライトを購入する困難さを増加させている。また、レイアウト設計が一旦変更されると、元のＬＥＤライトモジュールは、最新の要件を満たすことができなくなり、新しいＬＥＤライトを再度調べて購入し直さなければならない。
【０００５】
一方、一般的ＬＥＤライトであるか高出力ＬＥＤライトであるかに関係なく、これらのタイプの従来のＬＥＤライトは全て単一ケース構成を用い、ＬＥＤライトモジュールと電力の両方が同一のケース内で一体化される。例えば、移動式ＬＥＤライトのケースには、ＬＥＤライトモジュールと当該ＬＥＤライトモジュールに電力を提供するバッテリを収容するスペースが含まれ、固定式ＬＥＤライトに関しては、ＬＥＤライトモジュール及び電力接続ポートを同一ケース内に一体化する。この電力接続ポートは、ＬＥＤライトモジュールと接続するとともに電力ソケットにも接続して、この電力ラインを介してＬＥＤライトモジュールを電力源に電気的に接続する。
【０００６】
従来のＬＥＤライトでは、ＬＥＤライトモジュールと電力部を１つの単一ケースと一体化するので、ＬＥＤライトモジュール及び電力部は分離することができず、ユーザは、例えば、電源遮断などの、あるアクシデント状態において、緊急用蛍光灯として直接バッテリに接続するための電力源と電気的に接続された固定ランプを取り外すことができないなど、異なる要求により異なるタイプの電源を選択して取り替えることができないので、ユーザは、いくつかの異なるタイプのランプを準備して異なる目的の要求を満たすようにしなければならない。従来のＬＥＤライトの中には、バッテリ源又は電力源を選択するデュアルタイプの電力源を提供することができるものもあるが、ＬＥＤライトケースのバッテリ用収容スペースは、電源から電力が供給されている時にも取り外すことはできず、一方、電力源と接続する電力接続ポート又は電力コードは、バッテリによって電力が供給されている時にも取り外すことはできないので、従来のＬＥＤライトは、若干大きくなってしまう。
【０００７】
従来技術には、いくつかのデメリットがある。
１、従来のＬＥＤライトに関して、ＬＥＤライトの形状は、ケース及びランプシェードによって決まり、ケース及びランプシェードの形状及び大きさは、ユーザの要求によって変更できない。
２、従来のＬＥＤライトに関して、ＬＥＤライトの電力も固定されており、ユーザの要求によって変更できない。
３、従来のＬＥＤライトに関して、ＬＥＤライトのモデルスペックは固定されており、全ての要求を完全に満たす最適なＬＥＤライトを調べることが容易でない。
４、従来のＬＥＤライトに関して、ユーザは、異なるタイプの電力源をユーザの要件又は要求によって変更できない。
５、従来のＬＥＤライトに関して、ＬＥＤライトは、単一の環境における使用に適しているので、エンドユーザは、異なる要件及び目的の要求を満たす異なるタイプのランプを複数用意しなければならない。
６、従来のＬＥＤライトに関して、ＬＥＤライトのいくつかは、電源の供給をバッテリにするか電力源からにするかを選択することができるが、バッテリの収容スペースは、電力源で供給している間も取り外すことはできず、一方、電力コード又は電力接続ポートは、バッテリで供給している間も取り外すことができないので、ＬＥＤライトのスペースは、若干大きくなる。
【０００８】
そのため、本考案の主題は、ユーザの要件や要求によってＬＥＤライトの形状及び電力を変更するための従来のソリューションの上記デメリットを改善するとともに異なるタイプの電力源に接続できるようにする方法に関するものである。
【考案の概要】
【考案が解決しようとする課題】
【０００９】
本考案の目的は、例えば、埋め込み柱と埋め込みトラフ、１組の磁石又は、磁石と１片の金属板などの対応する構成要素など、２つの対応する接続部をケースの表面に設計して、これら対応する接続部を介してブロックＬＥＤライトが同一構成を有する他のブロックＬＥＤライトと一体化することを可能として、ブロックＬＥＤライトの組み立てる数や全電力消費及び形状やモデルに対するユーザの要件及び要求をユーザの好み通りに満たすことができる新規かつ進歩的ブロックＬＥＤライトを提供することである。一方、ＬＥＤライトモジュール及び電力部は、２つの異なるケースに設計することができ、これら２つの異なるケースは、その表面の対応する接続部を支持して、これら２つのケースが一体化すると、ＬＥＤライトモジュールが電源と電気的に接続可能となる。このようにして、ユーザは、実際の要件及び要求によってＬＥＤライトを適当な電力源と一体化させることができる。
【課題を解決するための手段】
【００１０】
本考案によると、本考案は、以下の構成要素を含む新規かつ進歩的ブロックＬＥＤライトを提供するものである。構成要素とは、
第１ケースと、
前記第１ケースに設計されるＬＥＤライトモジュールと、
前記第１ケースの表面に設計される第１接続部と、
前記第１ケースの他面に設計される第２接続部であり、
【００１１】
前記第１接続部は、前記第２接続部に対応して、前記第１接続部によって同一構造を有する他の第２ブロックＬＥＤライトを前記第１ブロックＬＥＤライトの前記第２接続部に接続可能とし、前記第１接続部によって同一構造を有する他の第３ブロックＬＥＤライトを前記第２ブロックＬＥＤライトの前記第２接続部に接続可能とする方法によって、複数のＬＥＤライトを組み立てることができるようにする。
【００１２】
前記ブロックＬＥＤライトによると、前記第１接続部は、少なくとも１つの埋め込み柱を含み、前記第２接続部は、少なくとも埋め込みトラフを含み、この埋め込み柱の構成は、この埋め込みトラフに対応しなければならず、このブロックＬＥＤライトは、対応する埋め込み柱（又は埋め込みトラフ）によって他のブロックＬＥＤライトの埋め込みトラフ（又は埋め込み柱）と接続する。
【００１３】
前記ブロックＬＥＤライトによると、前記第１接続部に第１磁石があり、前記第２接続部に第２磁石があり、このブロックＬＥＤライトは、前記第１磁石を用いて他のブロックＬＥＤライトの第２磁石と接続して、前記第２ブロックＬＥＤライトと一体化する。
【００１４】
前記ブロックＬＥＤライトによると、前記ＬＥＤライトモジュールの電力ポートが、前記第１接続部及び前記第２接続部へと延びて、複数のブロックＬＥＤライトが一体化すると互いに直列又は並列に電気的に接続可能となる。
【００１５】
前記ブロックＬＥＤライトによると、１つの第１導電性構成要素、１つの第２ケース、１つの電力接続部、１つの第２導電性構成要素及び、１つの第３接続部をさらに含み、前記第１導電性構成要素は、前記第１ケースの表面に設計され、前記ＬＥＤライトモジュールと電気的に接続し、この電力接続部は、前記第２ケースに設計され、１つの電力源と電気的に接続するように設計され、この第２導電性構成要素及びこの第３接続部は、前記第２ケースの表面に設計され、この第２導電性構成要素は、前記電力接続部と電気的に接続し、前記第２ケースの前記第３接続部及び前記第１ケースの前記第１接続部は、対応しており、この第１ケース及び第２ケースが前記第１ケースの前記第１接続部及び前記第２ケースの前記第３接続部によって一体化できるようにして、前記第１ケースの前記第１接続部が前記第２ケースの前記第３接続部と一体化すると、前記第１ケースの前記第１導電性構成要素は、前記第２ケースの前記第２導電性構成要素と電気的に接続して前記ＬＥＤライトモジュールを電源と電気的に接続させる。
【００１６】
前記ブロックＬＥＤライトによると、前記第１導電性構成要素及び前記第２導電性構成要素は、伝導板である。
【００１７】
前記ブロックＬＥＤライトによると、前記電力源接続部は、電力接続ポートであり、前記電力源は、グリッドである。
【００１８】
前記ブロックＬＥＤライトによると、前記第２ケースは、１つの収容スペースを含み、前記電力源は、この収容スペースに含まれるバッテリである。
【００１９】
前記ブロックＬＥＤライトによると、前記第１ケースの前記第１接続部は、少なくとも１つの埋め込み柱を含み、前記第２ケースの前記第３接続部は、少なくとも１つの埋め込みトラフを含み、この埋め込み柱は、前記埋め込みトラフに対応し、前記第１ケースの前記第２接続部は、これらの埋め込み柱及び埋め込みトラフを埋め込むことによって前記第２ケースの前記第３接続部と一体化する。
【００２０】
前記ブロックＬＥＤライトによると、前記第１ケースの前記第１接続部は、１つの第１磁石を含み、前記第２ケースの前記第３接続部は、１つの第２磁石を含み、前記第１ケースのこの第１接続部は、前記第１磁石及び前記第２磁石を引きつけることによって前記第２ケースの前記第３接続部と一体化する。
【００２１】
前記ブロックＬＥＤライトによると、前記第１ケースの前記第１接続部は、１つの磁石を含み、前記第２ケースの前記第３接続部は、１片の金属板を含み、前記第１ケースのこの第１接続部は、前記磁石及び前記金属板を引きつけることによって前記第２ケースの前記第３接続部と一体化する。
【００２２】
前記ブロックＬＥＤライトによると、前記第１ケースの前記第１接続部は、一片の金属板を含み、前記第２ケースの前記第３接続部は、磁石を含み、前記第１ケースのこの第１接続部は、前記磁石及び前記金属板を引きつけることによって前記第２ケースの前記第３接続部と一体化する。
【考案の効果】
【００２３】
本考案には、以下のようないくつかの利点がある。
１、本考案に係るブロックＬＥＤライトの実施形態によると、ユーザは、組み立てられたブロックＬＥＤライトの数や形状を変えることで組み立てた形状や大きさを変更することができる。
２、本考案に係るブロックＬＥＤライトの実施形態によると、ユーザは、組み立てたブロックＬＥＤライトの数や全体の電力消費を調整することによって最適なＬＥＤライトを手に入れることができる。
３、本考案に係るブロックＬＥＤライトの実施形態によると、ブロックＬＥＤライトは、装飾の修正により分解したり再び組み立てたりすることができ、緊急に光源の要求に対してブロックＬＥＤライトの一部を一時的に分解することができため、大変便利である。
４、本考案に係るブロックＬＥＤライトの実施形態によると、ユーザは、要件や要求によって異なる電力タイプを用いることができる。
５、本考案に係るブロックＬＥＤライトの実施形態によると、それぞれ異なる環境において使用することができ、１つの単一ブロックＬＥＤライトでさえ、使用目的の異なる要求を満たすことができる。
【００２４】
要約すると、本考案に係るブロックＬＥＤライトの実施形態によると、組み立てる数、形状、大きさ、全体の電力消費及び電力タイプを変更することは非常に簡単で効率的であり、進歩的かつ便利なソリューションである。異なるタイプの対応する接続部を用いること、異なるタイプのＬＥＤライトモジュール上の異なる形状のケースを用いること又は、他のタイプの導電性構成要素を用いることなど、本考案として説明した設計を修正しても、ＬＥＤライトのケース上に設計された少なくとも１組の対応する接続部構成があれば、複数の当該ＬＥＤライトが、ブロックとして組み立て可能であり、全て、本考案が網羅する請求したタイプである。
【００２５】
本考案の特定の実施形態について説明するために詳細を記したが、本考案の精神及び範囲から逸脱することなく様々な修正及び改善が可能である。従って、本考案は、添付の請求項によって制限されることを除いて制限されるものではない。
【図面の簡単な説明】
【００２６】
【図１】本考案に係る１つの単一ケースを用いるブロックＬＥＤライトの実施形態のシステム構成の概略図である。
【図２】本考案に係る１つの単一ケースを用いるブロックＬＥＤライトの実施形態のシステムの底部構成の概略図である。
【図３】本考案に係る１つの単一ケースを用いる複数のブロックＬＥＤライトの実施形態の組立構成の概略図である。
【図４】本考案に係るグリッド電源を用いるブロックＬＥＤライトの実施形態の構成概略図である。
【図５】本考案に係るバッテリ電源を用いるブロックＬＥＤライトの実施形態の構成概略図である。
【図６】本考案に係る充電可能なバッテリ電源を用いるブロックＬＥＤライトの実施形態の構成概略図である。
【図７】本考案に係る複数のＬＥＤライトを組み立てる実施形態の構成概略図である。
【考案を実施するための形態】
【００２７】
本考案は、添付の図面を参照して以下の説明を通してよりよく理解することができる。
【実施例】
【００２８】
図１は、ランプシェード１１、ブロックＬＥＤライト１２、ケース１３、埋め込みトラフ１４及び埋め込み柱１５を含む本考案に係る１つの単一ケースを用いるブロックＬＥＤライトの実施形態のシステム構成の概略図である。本考案のブロックＬＥＤライト１２は、主にランプシェード１１、ＬＥＤライトモジュール及びケース１３によって実施される。ＬＥＤライトモジュールは、ケース１３の中に設計され、ランプシェード１１は、ケース１３と接続し、ランプシェード１１とケース１３の接続によってできたスペースの中にＬＥＤライトモジュールを隠す。ランプシェード１１は、透明な材料によってできているので、ＬＥＤライトモジュールによって発せられた光は、ランプシェード１１を通って伝わることができる。ケース１３の表面には対応する１組の接続部があり、これら２つの対応する接続部は、少なくとも１組の対応する埋め込みトラフ１４と埋め込み柱１５によって実施することができる。そのため、ブロックＬＥＤライト１２の埋め込みトラフ１４（埋め込み柱１５）は、同一構造で実現される他のブロックＬＥＤライトの埋め込み柱（埋め込みトラフ）と一体化して、これら２つのブロックＬＥＤライトを接続することができる。埋め込みトラフ１４及び埋め込み柱１５の構成設計に基づいて、同一構成を有する複数のＬＥＤライト１２は、一体化するブロックのように一体化することが可能である。もちろん、ケース１３の表面の対応する接続部を、対応する２つの磁石又は、１つの磁石と１片の金属板によって実施することもできる。そのためユーザは、要件や要求によって自由に任意の数のブロックＬＥＤライト１２を一体化することができ、ブロックＬＥＤライト１２の数を修正することで電力消費、形状及び大きさを変更することができ、実際の要求に対して最適なＬＥＤライトを非常に簡単に手に入れることができる。さらに、室内装飾が一旦変更されると、これらの一体化したＬＥＤライトは、非常に簡単な方法で分解することができる。部分的なブロックＬＥＤライト１２も仮の光源として分解でき、使用後は再び組み立てることができる。
【００２９】
図２は、１つのブロックＬＥＤライト１２、ケース１３、埋め込みトラフ１４、埋め込み柱１５、スイッチ２１及び電力接続ポート２２を含む本考案に係る１つの単一ケースを用いるブロックＬＥＤライトの実施形態のシステムの底部構成の概略図である。ブロックＬＥＤライト１２は、ケース１３の内部に実装されるバッテリの内部バッテリ電源を用いることができる。電力接続ポート２２を含むケース１３の底部では、電力接続ポート２２を電力源に接続することによりケース１３内部のバッテリを充電することができる。また、ケース１３の底部では、ＬＥＤライトモジュールの電力をオン・オフ制御するスイッチ２１も含まれる。
【００３０】
図３は、ブロックＬＥＤライト１２、埋め込みトラフ３１，３２及び埋め込み柱３３，３４を含む本考案に係る１つの単一ケースを用いる複数のブロックＬＥＤライトの実施形態の組立構成の概略図である。複数のブロックＬＥＤライト１２は、埋め込みトラフ３１，３２を埋め込み柱３３，３４と一体化することによって組み立てることができる。各ブロックＬＥＤライト１２内のＬＥＤライトモジュールの各電気プラグは、埋め込みトラフ３１，３２及び埋め込み柱３３，３４に向かって延びることができ、これら複数のブロックＬＥＤライト１２を組み立てると、上記ＬＥＤライトモジュールが電気的直列又は並列構造を有するようになる。例えば、ＬＥＤライトモジュールの全ての陽電極ポートを埋め込みトラフ３２及び埋め込み柱３４に向かって上側で延長させ、ＬＥＤライトモジュールの全ての負電極ポートを埋め込みトラフ３１及び埋め込み柱３３に向かって下側で延長させると、電気的に並列構造となり、ＬＥＤライトモジュールの全ての陽電極ポートを埋め込みトラフ３１（又は３２）に延長させ、ＬＥＤライトモジュールの全ての負電極ポートを埋め込み柱３３（又は３４）に延長させると、電気的直列構造となる。
【００３１】
図４は、ケース４１，４２、ＬＥＤライトモジュール４１１、ランプシェード４１２、接続部４１３、４２１、導電性構成要素４１４，４２２及び電気接続ポート４２３を含む本考案に係るグリッド電源を用いるブロックＬＥＤライトの実施形態の構成概略図である。本考案に係るＬＥＤライトの電力部は、ブロックの形で組み立てることができる。ケース４１内部には収容スペースがあり、ＬＥＤライトモジュール４１１は、このケース４１内の収容スペースに形成される。ランプシェード４１２は、ケース４１の収容スペースを覆い、ＬＥＤライトモジュール４１１も覆う。ケース３２の表面に設計された電力接続ポート４２３があり、１本の電気コードを介してグリッド電源と電気的に接続する。接続部４１３及び導電性構成要素４１４を含むケース４１は、少なくとも１つの表面があり、ＬＥＤライトモジュール４１１は、ケース４１の表面の全ての導電性構成要素４１４を電気的に接続する。対応する接続部４２１及び導電性構成要素４２２を含むケース４２は、少なくとも１つの表面があり、電気接続ポート４２３は、ケース４２の表面の全ての導電性構成要素４２２を電気的に接続する。接続部４１３，４２１及び導電性構成要素４１４，４２２の設計に基づいて、ケース４１は、ケース４１の底面及びケース４２の上面の対応する接続部を介してケース４２と一体化することができる（本概略図では、ケース４１の底面及びケース４２の上面の接続部は分からない）。ケース４１及びケース４２の接続部分が互いに接続すると、ケース４１の底部の導電性構成要素は、ケース４２の上部の導電性構成要素と同時に電気的に接続して（この概略図では、ケース４１の底面及びケース４２の上面の導電性構成要素は分からない）、ＬＥＤライトモジュール４１１がグリッド電源と電気的に接続できるようになるとともに、グリッド電力によって供給可能となる。
【００３２】
図５は、ケース３１，３２、ＬＥＤライトモジュール４１１、ランプシェード４１２、接続部４１３，４３１及び導電性構成要素４１４を含む本考案に係るバッテリ電源を用いるブロックＬＥＤライトの実施形態の構成概略図である。本考案は、グリッド電源によって電力を供給される上記のＬＥＤライトモジュールだけでなく、他のタイプの電力によって電力を供給されるものであってもよい。バッテリ電源モデルの例として本考案の図５に基づくと、ケース４３内部に電力接続部が設計され、バッテリを含めるための収容スペースを設計し、ケース４３内部の電力接続部と電気的に接続する。ケース４３の上面は、接続部及びケース４１の底部に対応する導電性構成要素を含み（この概略図では、ケース４１の底部及びケース４３の上部の対応する接続部及び導電性構成要素は分からない）、ケース４３上面の導電性構成要素は、内部電力接続部と電気的に接続してケース４３内部のバッテリと電気的に接続する。そのため、ケース４１の底部及びケース４３の上部の対応する接続部を介してケース４１がケース４３と一旦接続すると、ケース４１の底部の導電性構成要素は、ケース４３上部の導電性構成要素と電気的に接続され、ケース４１内部に実装されたＬＥＤライトモジュール４１１をケース４３内部のバッテリと電気的に接続させることができ、バッテリによってＬＥＤライトモジュール４１１に電力を供給する。
【００３３】
図６は、ケース４１，４２，４３、ＬＥＤライトモジュール４１１、ランプシェード４１２、接続部４１３，４２１，４３１、導電性構成要素４１４，４２２及び電力接続ポート４２３を含む本考案に係る充電可能なバッテリ電源を用いるブロックＬＥＤライトの実施形態の構造概略図である。ケース４２も、ケース４３の底部と接続することができ、ケース４３内部に設計されたバッテリは、ケース４２の上部側の導電性構成要素と、ケース４３の底部側の導電性構成要素を介して電気的に接続でき、そして、電気接続ポート４２３を介してグリッド電源に電気的に接続し、ケース４３内部のバッテリを充電する。
【００３４】
本考案に係るブロックＬＥＤライトの実施形態によると、ケース４１，４２，４３の表面に設計された導電性構成要素４１４，４２２は、導電性の高い金属板であってもよい。ケース４１，４２，４３の表面に設計された接続部４１３，４２１，４３１は、対応する埋め込み柱及び埋め込みトラフであってもよく、この埋め込まれた構造を介してケースを組み立てる。ケース４１，４２，４３の各表面の接続部は、全て埋め込み柱又は全て埋め込みトラフであってもよく、又はその両者であってもよく、例えば、ケース４２の上側面の接続部は、全て埋め込み柱でも、底側面の接続部が全て埋め込みトラフであってもよい。もちろん、ケース４１，４２，４３の表面に設計された接続部４１３，４２１，４３１は、全てが対応する磁石又は磁石と金属板の組み合わせであってもよく、磁石の引き合うメカニズムによってこれらのケースを組み立てる。
【００３５】
そのため、本考案に係るブロックＬＥＤライトの実施形態によると、ユーザが屋内の環境にいる場合、ＬＥＤライトモジュール４１１のケース４１を図４に示した電力接続ポートを含むケース４２と接続することができ、グリッド電源によってＬＥＤライトモジュール４１１に対して電力を供給する。ユーザが、屋外の環境にある場合、ＬＥＤライトモジュール４１１の当該ケース４１は、図５に示したバッテリを含むケース４３に接続することができ、バッテリによってＬＥＤライトモジュール４１１に電力を供給する。バッテリの充電が必要になると、ユーザは、グリッド電源に接続して、電力をＬＥＤライトモジュール４１１に供給し、図６に示したように平行してバッテリを充電できる。
【００３６】
図７は、本考案に係るブロックＬＥＤライト７１，７２，７３を含む複数のＬＥＤライトを組み立てる実施形態の構成概略図である。本考案に係るＬＥＤライト７１は、ケースの表面に設計された接続部を介して同一構成を有する他のブロックＬＥＤライト７２，７３と接続することができ、表面の導電性構成要素又は各ケースが、例えば、直列構造又は並列構造のようにすでに電気的接続を有するため、これら複数のブロックＬＥＤライトを組み立てると、上記ブロックＬＥＤライトも電気的に接続され、１つの単一のもの又は複数の電力源から電力供給を受けることができる。
【符号の説明】
【００３７】
１１  ランプシェード
１２  ブロックＬＥＤライト
１３  ケース
１４  埋め込みトラフ
１５  埋め込み柱
２２  電力接続ポート
【図１】
0003176692.tif 000003
【図２】
0003176692.tif 000004
【図３】
0003176692.tif 000005
【図４】
0003176692.tif 000006
【図５】
0003176692.tif 000007
【図６】
0003176692.tif 000008
【図７】
0003176692.tif 000009